(57)【要約】【課題】コンパクトで室内空間を有効に使用することができ、施工も容易な空調装置を提供する。【解決手段】熱源装置と放熱装置を分離してなる空調装置１０であって、熱源装置である温水器１２は、家屋の屋内と屋外を区切る隔壁または屋内の部屋同士を区切る隔壁の内側空間に収容される。放熱装置である熱交換パイプは、隔壁の内側空間に収容された空調装置１０に配管接続される。温水器１２は箱体２０を有し、箱体２０の中にヒータを内蔵したタンク２２と、タンク２２に温水を循環させるポンプ３８と、ヒータとポンプ３８を制御する制御回路が設けられた制御盤５０が、一列に並べられている。【選択図】図１
2008025864.tif 000002
【特許請求の範囲】
【請求項１】
熱源装置と放熱装置を分離してなる空調装置において、前記熱源装置は、家屋の屋内と屋外を区切る隔壁または屋内の部屋同士を区切る隔壁の内側空間に収容され、前記放熱装置は空調を行う部屋に設けられ、前記放熱装置は、前記隔壁の内側空間に収容された前記熱源装置に配管接続されていることを特徴とする空調装置。
【請求項２】
前記熱源装置は温水器であり、前記温水器は箱体を有し、前記箱体の中に、ヒータを内蔵したタンクと、前記タンクに温水を循環させるポンプと、前記ポンプを制御する制御回路が設けられた制御盤が、並べられて薄形に収納され、前記箱体は、前記空調装置を取り付ける隔壁の内側空間の厚みとほぼ等しい奥行きを有していることを特徴とする請求項１記載の空調装置。
【請求項３】
前記放熱装置は、複数の熱交換パイプが平行にメインパイプに接続された薄形の暖房装置であることを特徴とする請求項２記載の空調装置。
【発明の詳細な説明】
【技術分野】
【０００１】
この発明は、浴室やトイレ等、室内空間の温度を調整する空調装置に関する。
【背景技術】
【０００２】
近年、浴室やトイレ等の小さい空間を空調する例が増加している。このような場合、空調装置の熱源装置が屋外に設置され、床暖房装置や壁暖房装置などの薄形の放熱装置が室内に設置されている。一方、熱源一体形の暖房装置もあるが、小さいものはエネルギーが小さく十分な暖房効果が得られず、十分なエネルギーを得ようとすると、形状が大きくなり室内に設置すると邪魔なものであった。
【０００３】
また、トイレ等の小さい空間に空調装置を設置するために、特許文献1の床暖房一体型トイレユニットが提供されている。これは、トイレ用器具を一体に備え、且つ便座の暖房と床暖房等の熱源を一つにして設けたトイレユニットである。このトイレユニットは、箱形ユニットの内壁が二重構造にされ、その二重構造の内部に小形温水器が設置されている。さらにこのトイレユニットは、温水式暖房便座付きの水洗式便器と、温水式床暖房を設け、小形温水器に、給湯用循環ポンプを介して配管接続したものである。
【特許文献１】特開平９−２７３３２２号公報
【発明の開示】
【発明が解決しようとする課題】
【０００４】
上記従来の技術の、熱源装置を屋外に設置する場合、熱源装置と室内の放熱装置を接続するパイプを設置するのに工数と費用が掛かるものであった。また、特許文献１に開示されているトイレユニットは、小形温水器を取り付けるために内壁を二重構造としており、その分室内が狭くなっていた。
【０００５】
この発明は、上記従来の技術の問題点に鑑みてなされたものであり、コンパクトで室内空間を有効に使用することができ、施工も容易な空調装置を提供することを目的とする。
【課題を解決するための手段】
【０００６】
本発明は、熱源装置と放熱装置を分離してなる空調装置であり、前記熱源装置は、家屋の屋内と屋外を区切る隔壁または屋内の部屋同士を区切る隔壁の内側空間に収容され、前記放熱装置は空調を行う部屋に設けられている。前記放熱装置は、前記隔壁の内側空間に収容された前記熱源装置に配管接続されている。
【０００７】
また、前記熱源装置は温水器であり、前記温水器は箱体を有し、前記箱体の中に、ヒータを内蔵したタンクと、前記タンクに温水を循環させるポンプと、前記ヒータやポンプを制御する制御回路が設けられた制御盤が、一列に並べられて薄形に収納されている。前記箱体は、前記空調装置を取り付ける隔壁の内側空間の厚みとほぼ等しい奥行きを有している。
【０００８】
また、前記放熱装置は、複数の熱交換パイプが平行にメインパイプに接続された薄形の暖房装置である。例えば床の下に設けられた床暖房装置や、壁の表側または裏側に取り付けられた壁暖房装置等でもよい。
【発明の効果】
【０００９】
本発明の空調装置は、熱源装置を家屋の隔壁の内側空間に埋め込むことにより、場所をとらずに屋内に設置することが可能であり、屋内に設けられた放熱装置との配管接続が容易となる。空調する室内には熱交換パイプ等の放熱装置が効率良く設置され、スペースを有効に使用し圧迫感も減少する。特に、熱源装置の奥行きを隔壁の厚さ以下に限定することにより、壁面が平坦になり、壁面のデザインがすっきりとしたものとなる。
【発明を実施するための最良の形態】
【００１０】
以下、この発明の実施形態について図面に基づいて説明する。図１〜図３はこの発明の一実施形態を示すもので、この実施形態の空調装置１０は、図示しない家屋に取り付けられ、熱源装置である温水器１２を有し、温水器１２は１または複数個の放熱装置に配管接続されている。放熱装置は、複数の熱交換パイプが平行にメインパイプに接続されてマット状に形成され、例えば部屋床暖房装置１４、浴室１５の浴室床暖房装置１６、壁暖房装置１８として取り付けられている。温水器１２には、温水器１２の操作を行うリモコン１９が接続されている。
【００１１】
温水器１２は、図２、図３に示すように金属板で作られた矩形の箱体２０を有している。箱体２０は、家屋の屋内と屋外を区切る隔壁または屋内の部屋同士を区切る隔壁の内側空間に収容可能な大きさに形成されている。
【００１２】
箱体２０の上面２０ａには開口部２１が形成され、開口部２１には、熱交換用流体である温水を貯蔵するタンク２２が嵌合されている。タンク２２の上面２２ａは箱体２０の上面２０ａに露出し、上面２２ａには水を補給する給水口２４が設けられている。タンク２２の底面２２ｂは、箱体２０のほぼ中間の高さ付近に達している。
【００１３】
タンク２２の底面２２ｂの図３において右側端部付近に、循環する温水が導入される戻り口２６が設けられている。戻り口２６にはホース２８が接続され、ホース２８の他端は、箱体２０の底面２０ｂに設けられた吸入口４８に接続されている。吸入口４８の先端は、底面２０ｂの外側に引き出され、部屋床暖房装置１４、浴室床暖房装置１６、壁暖房装置１８の温水戻り口側の配管に接続されている。
【００１４】
タンク２２の底面２２ｂの図３において左側端部付近には、温水を送り出す供給口３４が設けられている。供給口３４には、ホース３６が接続され、ホース３６の先端は、ポンプ３８の吸い込み口４０に接続されている。
【００１５】
ポンプ３８は、タンク２２の下方に位置し、図示しないモータを内蔵している。ポンプ３８の吐き出し口４２には、別のホース４４が接続され、ホース４４の先端は、箱体２０の底面２０ｂに設けられた突出口４６に接続されている。突出口４６の先端は、底面２０ｂの外側に引き出され、部屋床暖房装置１４、浴室床暖房装置１６、壁暖房装置１８の温水供給口側の配管に接続されている。
【００１６】
タンク２２内には、図示しないヒータが設けられ、タンク２２の下方には、箱体２０の底面２０ｂとの間に、制御盤５０が設けられている。制御盤５０は、ヒータやポンプ３８の制御回路が設けられ、リモコン１９に接続されている。
【００１７】
箱体２０の上面２２ａには、箱体２０を隔壁に固定する固定板５２が設けられている。固定板５２は、タンク２２を隔壁に設置したときに室内と反対側の一側縁部、つまり図２において左側縁部に設けられ、上面２２ａに対してほぼ直角に上方へ突出している。固定板５２の角部付近には、ネジ等の固定具が挿通される透孔５４が形成されている。また、箱体２０の底面２２ｂにも、箱体２０を隔壁に固定する固定板５６が設けられている。固定板５６は、固定板５２と同じく室内と反対側の一側縁部に設けられ、底面２０ｂに対してほぼ直角に下方へ突出している。
【００１８】
次に、温水器１２の取付方法について説明する。温水器１２は、図示しない家屋の、屋内と屋外を区切る隔壁または屋内の部屋同士を区切る隔壁の内側に収容されている。隔壁は、例えば構造材や断熱材を挟んで互いに平行に取り付けられた一対の壁板６０，６２から成る。図２に示すように壁板６２側から取り付ける場合、壁板６２に開口部６４を形成し、開口部６４から壁板６２の裏面に温水器１２を入れる。固定板５２，５６を壁板６０に重ね、透孔５４，５８にネジ等の固定具を挿入して壁板６０に固定する。このようにして、温水器１２を隔壁の一対の壁板６０，６２の間の空間内に収容する。壁板６０，６２の間の空間よりも温水器１２の奥行きが小さい場合は、壁板６２の開口部６４に扉を取り付けて、覆ってもよい。また、壁板６２が温水器１２の輪郭にくり抜かれ、温水器１２の正面が壁板６２から僅かに突出していても良く、壁板６０，６２間の空間を有効に利用して取り付ければよいものである。その他、壁板６０，６２間に胴縁を固定して温水器１２を取り付けたり、壁板６２の開口部６４の周囲に額縁などの化粧木を固定し、温水器１２を取り付けても良く、取付方法は適宜変更可能である。
【００１９】
壁板６０，６２の内側空間に取り付けられた温水器１２の突出口４６は、床暖房装置１４、浴室床暖房装置１６、壁暖房装置１８の図示しない温水供給口に配管接続する。また、床暖房装置１４、浴室床暖房装置１６、壁暖房装置１８の図示しない温水戻り口は、温水器１２の吸入口４８へ配管接続する。床暖房装置１４、浴室床暖房装置１６、壁暖房装置１８の循環経路は、分岐させて並列としてもよく、直列としてもよい。なお接続された配管は、家屋の壁板６０，６２の内側空間や、床下、天井裏を通過させてもよい。
【００２０】
ここで、空調装置１０の使用方法と熱交換用流体である温水の流れについて説明する。温水器１２のタンク２２に溜められた温水は、タンク２２内のヒータで所定温度に加温され、加温された温水はタンク２２の供給口３４、ホース３６を通過してポンプ３８の吸い込み口４０から引き込まれ、吐き出し口４２から吐出されて、ホース４４を通過して突出口４６から箱体２０の外側へ送られる。送り出された温水は、図示しない配管により部屋床暖房装置１４、浴室床暖房装置１６、壁暖房装置１８を循環し、温水器１２の吸入口４８に戻る。吸入口４８に戻った温水は、ホース２８を通過してタンク２２の戻り口２６から、タンク２２内に入る。温水は、部屋床暖房装置１４、浴室床暖房装置１６、壁暖房装置１８を循環しながら放熱し、その輻射熱で部屋や浴室を暖房する。長時間の循環により温水が蒸発して少なくなった場合は、温水器１２の給水口２４から水を追加する。温水の温度や循環するスピードは、リモコン１９や制御盤５０の調節部を操作し調整する。
【００２１】
この実施形態の空調装置１０によれば、温水器１２を家屋の屋内と屋外を区切る隔壁または屋内の部屋同士を区切る隔壁の内側空間に設置することにより、スペースを有効に使用することができ、圧迫感がなく、動作の支障とならず、快適に過ごすことができる。また、壁面のデザインをすっきりとしたものにすることができる。放熱装置である部屋床暖房装置１４、浴室床暖房装置１６、壁暖房装置１８も、平坦であるかまたは床下や壁に埋め込むことが可能であり、このことからもスペースを有効に使うことができる。温水器１２の奥行きを隔壁の厚さ、つまり壁板６０，６２の間隔以下に限定することにより、壁面を平坦にすることができ、より圧迫感を減少することができる。例えば、温水器１２の大きさを、ツーバーフォーの住宅の壁厚に合うものとし、100〜110ｃｍとすれば、ツーバイフォー住宅のいろいろな間取りの家屋に適用することができる。また、温水器１２を隔壁の内側空間に入れることで、部屋床暖房装置１４等との接続が容易となり、施工が短時間で可能となり、安価となる。
【００２２】
なお、この実施形態の空調装置は、上記実施の形態に限定されるものではなく、放熱装置の種類や数は、適宜変更可能である。また、温水器の構造はタンクとポンプ、制御盤が、上下方向に並べられているもの以外に左右方向に並べられる等、互いに重ならず薄形であれば自由に変更可能である。タンクやポンプの配置の順番も互いに並ばないように薄形になっていれば自由に変更可能である。空調装置の放熱装置を取り付ける部屋は、浴室やトイレ等の小さい空間以外に、居間等、広い空間でもよい。また、熱源装置を冷却装置とすれば、冷水を循環させて冷房装置とすることができる。熱源装置と放熱装置が一体となった一体形の空調装置においても、熱源装置を壁に埋め込むことにより、同様の効果を得ることができる。
【図面の簡単な説明】
【００２３】
【図１】この発明の第一実施形態の空調装置の概略図である。
【図２】この実施形態の空調装置の温水器の左側面図である。
【図３】この実施形態の空調装置の温水器の正面図である。
【符号の説明】
【００２４】
１０  空調装置
１２  温水器
１４  部屋床暖房装置
１５  浴室
１６  浴室床暖房装置
１８  壁暖房装置
２０  箱体
２２  タンク
３８  ポンプ
５０  制御盤
【図１】
2008025864.tif 000003
【図２】
2008025864.tif 000004
【図３】
2008025864.tif 000005